(57)【要約】【課題】  表示パターン切換えのレスポンス向上とメモリ容量削減を目的とする。【解決手段】  例えば図２に示すスイッチに対してオペレータがＯＮ操作を行ったことを検出すると（ステップＳ１１）、まずＯＮパターンをディスプレイ上に描画し（ステップＳ１２）、当該ＯＮ操作情報をＰＬＣ１側に送信する（ステップＳ１３）。ＰＬＣ１側では、起動処理等を行い、メモリ２内の予め割り当てられるビット（例えばＤ00）をＯＮする。プログラマブル表示器１０は、ＰＬＣのメモリ２を監視しており、Ｄ00がＯＮになったら（ステップＳ２１，ＹＥＳ）、ランプ表示パターンをディスプレイ上に描画する（ステップＳ２２）。【選択図】図３
2005332074.tif 000002
【特許請求の範囲】
【請求項１】
各制御対象を制御する制御ユニットと、該制御ユニットの状態表示や指示を与える為のプログラマブル表示器とを有する制御システムにおいて、
前記制御ユニットは、前記各制御対象または当該制御ユニットの状態を示す状態データを記憶する記憶手段を有し、
前記プログラマブル表示器は、３パターン以上を有しておりこれらパターンにはユーザの操作によって切り替わる操作表示パターンと前記各制御対象または制御ユニットの状態変化によって切り替わる状態表示パターンとがある表示部品を保持して該表示部品を１以上表示する表示制御手段と、前記操作表示パターンは前記ユーザの操作を検出して切換え表示させ、前記状態表示パターンは前記記憶手段を監視して切換え表示させるパターン切換え制御手段と、
を有することを特徴とする制御システム。
【請求項２】
前記制御システムは更に、所定のネットワークを介して前記プログラマブル表示器と接続する遠隔モニタ装置を更に備え、
前記プログラマブル表示器は、前記ユーザ操作の検出結果を記憶する内部記憶手段を備え、
前記遠隔モニタ装置は、前記表示部品を１以上表示する第２の表示手段と、前記操作表示パターンは前記内部記憶手段を監視して切換え表示させ、前記状態表示パターンは前記記憶手段を監視して切換え表示させる第２のパターン切換え制御手段と、
を有することを特徴とする請求項１記載の制御システム。
【請求項３】
前記表示部品は３Ｄ表示する表示部品であり、前記３パターンは、ＯＦＦ、ＯＮ、ランプ表示であり、該ランプ表示は前記制御対象または制御ユニットが前記ＯＮ操作に応じた動作を行ったことを意味し、
３パターン又は４パターンを有する表示部品については、１つの表示部品当たり、前記記憶手段と内部記憶手段に各々１ビットが割り当てられていることを特徴とする請求項１又は２記載の制御システム。
【請求項４】
各制御対象を制御する制御ユニットと、該制御ユニットの状態監視・表示や指示を与える為のプログラマブル表示器とを有する制御システムにおける該プログラマブル表示器であって、
前記制御ユニットは、前記各制御対象または当該制御ユニットの状態を示す状態データを記憶する記憶手段を有し、
３パターン以上を有し、これらパターンにはユーザの操作によって切り替わる操作表示パターンと前記各制御対象または制御ユニットの状態変化によって切り替わる状態表示パターンとがある表示部品を保持して、該表示部品を１以上表示する表示制御手段と、前記操作表示パターンは前記ユーザの操作を検出して切換え表示させ、前記状態表示パターンは前記制御ユニットが保持する状態データを監視して切換え表示させるパターン切換え制御手段と、
を有することを特徴とする該プログラマブル表示器。
【請求項５】
各制御対象を制御する制御ユニットと、該制御ユニットの状態監視・表示や指示を与える為のプログラマブル表示器と、所定のネットワークを介して該プログラマブル表示器と接続する遠隔モニタ装置とを有する制御システムにおける該遠隔モニタ装置であって、
３パターン以上を有し、これらパターンには前記プログラマブル表示器におけるユーザの操作によって切り替わる操作表示パターンと前記各制御対象または制御ユニットの状態変化によって切り替わる状態表示パターンとがある表示部品を保持し、該表示部品を１以上表示する表示制御手段と、前記操作表示パターンは前記プログラマブル表示器内部の記憶部を監視して切換え表示させ、前記状態表示パターンは前記制御ユニットが保持する状態データを監視して切換え表示させるパターン切換え制御手段と、
を有することを特徴とする遠隔モニタ装置。
【請求項６】
各制御対象を制御する制御ユニットと、該制御ユニットの状態監視・表示や指示を与える為のプログラマブル表示器とを有する制御システムにおける該プログラマブル表示器のコンピュータに、
３パターン以上を有し、これらパターンにはユーザの操作によって切り替わる操作表示パターンと前記各制御対象または制御ユニットの状態変化によって切り替わる状態表示パターンとがある表示部品が保持されており
前記操作表示パターンは前記ユーザの操作を検出して切換え表示させ、前記状態表示パターンは前記制御ユニットが保持する状態データを監視して切換え表示させる機能、
を実現させる為のプログラム。
【発明の詳細な説明】
【技術分野】
【０００１】
本発明は、制御システム、そのプログラマブル表示器、遠隔モニタ装置等に関する。
【背景技術】
【０００２】
従来より、工場等において制御対象のシーケンス制御を行う制御ユニット（ここではＰＬＣを例にする）には、通常、ＰＬＣ（プログラマブル・コントローラ）の動作状態を表示部において表示するプログラマブル表示器が接続される。プログラマブル表示器は、ＰＬＣにより制御対象のシーケンス制御を実行中に、ＰＬＣから読み取ったデータ内容を表示するとともに、ＰＬＣに書き込むべきデータの設定入力を受け付ける。
【０００３】
最近のプログラマブル表示器は、グラフィック表示が可能なディスプレイと、このディスプレイの画面に重ね合わされたタッチパネルとを備えるものが多い。ディスプレイの表示内容とタッチパネルにおける操作位置とはあらかじめプログラムによって対応付けられており、ディスプレイにより表示されるスイッチ、ボタン等の表示位置でタッチパネルに触れることによって、プログラムにより設定されている操作内容に応じた指示データをＰＬＣに送る。この指示データには、ＰＬＣ内のメモリにおける書込み／読み出しアドレス等が含まれる。
【０００４】
このようなプログラマブル表示器の一例として、近年、例えば非特許文献１、２記載のプログラマブル表示器が知られている。このプログラマブル表示器は、例えば、上記スイッチ、ボタン等の３Ｄパーツを用意して、より現実に近い感覚で視認・操作できるようにしたり、図５に示すようにＥｔｈｅｒｎｅｔ（登録商標）に接続可能にして外部のパソコン等との間でデータ送受信を行えるようにし、これより外部のパソコン等で遠隔監視・操作を可能にしたりする機能を備えている。また、上記３Ｄパーツには、通常、パーツ１個当たりに複数のパターンが与えられている。通常、ＯＮ／ＯＦＦの２つのパターンが与えられる場合が多い。上記パーツの操作内容に応じた指示に対しては、ＰＬＣ内のメモリの所定アドレス（ビット）が割り当てられており、２パターンを与えられたパーツの場合、メモリ内の１ビットの使用で済むが、３パターン、４パターン等の場合には、メモリ内の２ビットを使用する必要がある。
【０００５】
ここで、図６に、３パターンを与えられた３Ｄパーツの一例を示す。
図示の３Ｄスイッチは、ＯＦＦ、ＯＮ、ランプ表示の３種類のパターンが与えられている。ここで、ランプ表示とは、ＯＮ操作後に、ＰＬＣ側でこのＯＮ操作に応じた処理（ここでは任意の制御対象の起動処理を例にする）が完了した場合に表示されるものである。つまり、２パターンのＯＮ／ＯＦＦ表示では、ＯＮ操作を行ったことが表示されるだけであり、何等かの理由で起動処理が失敗する場合もある為、その確認の為、ランプ表示も必要となる。勿論、ランプ表示に限らず、例えば表示色を変えることで起動完了を示すようにしてもよいが、何れにしても３パターンの表示が必要となる為、ＰＬＣのメモリ内の２ビットを割り当てておく必要がある。
【０００６】
図６の３Ｄスイッチを例にして更に詳しく説明するならば、例えば図５に示すようにＰＬＣのメモリ内の任意の１ワードの領域Ｄ内の任意の２ビットであるＤ00、Ｄ01  が、上記３Ｄスイッチに割り当てられているものとする。Ｄ00のビットは、スイッチＯＦＦ時には０（ＯＦＦ）、スイッチＯＮ操作により１（ＯＮ）となる。Ｄ01のビットは、起動処理完了したら１（ＯＮ）となる。
【０００７】
ここで、図７（ａ）、（ｂ）に、上記３Ｄスイッチに係わるプログラマブル表示器における処理フローチャートを示す。まず、図７（ａ）において、プログラマブル表示器は、オペレータ等によって上記３ＤスイッチのＯＮ操作が行われると（ステップＳ５１）、この操作内容に応じた指示をＰＬＣに与える（ステップＳ５２）。ＰＬＣは、この指示に応じて、Ｄ00をビットＯＮすると共に起動処理を行い、起動成功したらＤ01のビットをＯＮする。ＰＬＣは、起動後、運転中はＤ01のビットはＯＮのままとし、運転停止したらＤ01のビットをＯＦＦする。
【０００８】
また、プログラマブル表示器は、例えば定周期でＰＬＣの状態（メモリの内容）を読み取って現在の状態を表示させている。この処理を上記３Ｄスイッチについてのみ示したのが図７（ｂ）である。図７（ｂ）に示す通り、Ｄ00、Ｄ01が共にＯＦＦの場合には（ステップＳ６１，Ｓ６２がＮＯ）、図６の図上左側に示すスイッチＯＦＦパターンを描画する（ステップＳ６３）。Ｄ00、がＯＮでＤ01がＯＦＦの場合には（ステップＳ６１がＮＯでステップＳ６２がＹＥＳ）、図６の図上真中に示すスイッチＯＮパターンを描画する（ステップＳ６４）。Ｄ00、Ｄ01が共にＯＮの場合には（ステップＳ６１，Ｓ６２がＹＥＳ）、図６の図上右側に示すランプ表示パターンを描画する（ステップＳ６５）。
【０００９】
また、従来、例えば特許文献１記載の技術が知られている。
【非特許文献１】ＭＯＮＩＴＯＵＣＨ  Ｖ７＆Ｖ６ series  総合カタログ、2003.11、Hakko Electronics Co.,Ltd.
【非特許文献２】ＭＯＮＩＴＯＵＣＨ  Ｖ series  レファレンスマニュアル、操作編／機能編、発紘電機株式会社
【特許文献１】特開２００３−８４８２１号公報
【発明の開示】
【発明が解決しようとする課題】
【００１０】
上記従来技術では、上記の通り定周期でＰＬＣの状態（メモリの内容）を読み取って現在の状態を表示させているが、メモリの内容には上記Ｄ00のようにプログラマブル表示器側での操作（オン／オフ等）を示す情報も含まれる。つまり、プログラマブル表示器側での操作内容をＰＬＣ側に書き込んで、ＰＬＣからこの情報を読み出して、表示を行っていた為、操作を行ってから表示内容が変わるまでに（例えばＯＮ操作を行ってから上記ステップＳ６４のスイッチＯＮパターンの描画が行われるまで）、上記定周期の設定の仕方やそのときのＰＬＣの動作状況等にも依るが、場合によっては１秒以上掛かっていた。通常の人間の感覚では、０．５秒以上掛かると違和感を感じる（操作に対するレスポンスが悪いと感じる）ものである。これは上記リモート操作／モニタを行う場合も同様であり、パソコン等は、プログラマブル表示器を介してＰＬＣに対してそのメモリへのデータの書込み／読み出しを指示し、ＰＬＣから読み出したデータを用いて表示を行う為、操作に対するレスポンスが悪くなる。あるいは、プログラマブル表示器側で操作しているものを監視する場合、場合によってはＯＮ表示を飛ばしていきなりランプ表示が行われる可能性もある（上記起動処理等は、ユーザからの指示に応じて行うものに限らず、ＰＬＣ側の判断で開始する場合もあるが、どちらに拠るものなのか区別できなくなる）。
【００１１】
また、ＰＬＣにおけるメモリ使用量を出来るだけ少なくしたい観点から、たとえ１ビットでも減らすことが望まれる。つまり、３パターン、４パターンのパーツについても１ビットの使用で済むようにすることが望まれる。これは表示部品数が多ければ多いほど効果が得られる。
【００１２】
本発明の課題は、スイッチ、ボタン等の表示部品への操作に対する当該表示部品の表示パターン切換えのレスポンスを向上させ、以ってオペレータ等に操作に関する違和感・不快感を生じさせないようにし、またＰＬＣにおけるメモリ使用を少なくできる制御システム、そのプログラマブル表示器、遠隔モニタ装置等を提供することである。
【課題を解決するための手段】
【００１３】
本発明の制御装置は、各制御対象を制御する制御ユニットと、該制御ユニットの状態監視・表示や指示を与える為のプログラマブル表示器とを有する制御システムにおいて、  前記制御ユニットは、前記各制御対象または当該制御ユニットの状態を示す状態データを記憶する記憶手段を有し、前記プログラマブル表示器は、３パターン以上を有しておりこれらパターンにはユーザの操作によって切り替わる操作表示パターンと前記各制御対象または制御ユニットの状態変化によって切り替わる状態表示パターンとがある表示部品を保持して該表示部品を１以上表示する表示制御手段と、前記操作表示パターンは前記ユーザの操作を検出して切換え表示させ、前記状態表示パターンは前記記憶手段を監視して切換え表示させるパターン切換え制御手段とを有するように構成する。
【００１４】
従来では、操作表示パターンに関しても上記記憶手段を監視して切換え表示させていた為、記憶手段にはその分余計な記憶領域が必要となり、またユーザ操作に対する表示パターン切換えのレスポンスが悪かったが、上記本発明の構成では、操作表示パターンに関しては逐一記憶手段を参照したりしないので、この問題を解決できる。
【００１５】
また、例えば、前記制御システムは更に、所定のネットワークを介して前記プログラマブル表示器と接続する遠隔モニタ装置を更に備え、前記プログラマブル表示器は、前記ユーザ操作の検出結果を記憶する内部記憶手段を備え、前記遠隔モニタ装置は、前記表示部品を１以上表示する第２の表示手段と、前記操作表示パターンは前記内部記憶手段を監視して切換え表示させ、前記状態表示パターンは前記記憶手段を監視して切換え表示させる第２のパターン切換え制御手段とを有するように構成してもよい。
【００１６】
従来では、遠隔モニタ装置は、プログラマブル表示器を介して、制御ユニット内の記憶手段を監視して表示パターン切換えを行っていたが、上記本発明では、操作表示パターンに関してはプログラマブル表示器内のメモリを監視すれば済むので、その分、パターン切換えのレスポンス性が向上する。
【００１７】
また、例えば、前記表示部品は３Ｄ表示する表示部品であり、前記３パターンは、ＯＦＦ、ＯＮ、ランプ表示であり、該ランプ表示は前記制御対象または制御ユニットが前記ＯＮ操作に応じた動作を行ったことを意味し、３パターン又は４パターンを有する表示部品については、１つの表示部品当たり、前記記憶手段と内部記憶手段に各々１ビットが割り当てられている。
【００１８】
本発明は、上記制御システムに限らず、上記制御システムを構成するプログラマブル表示器又は遠隔モニタ装置自体、あるいはこれら装置の機能を実現させるプログラム自体として構成することもできる。
【発明の効果】
【００１９】
本発明の制御システム、そのプログラマブル表示器、遠隔モニタ装置によれば、スイッチ、ボタン等の表示部品への操作に対する当該表示部品の表示パターン切換えのレスポンスを向上させ、以ってオペレータ等に操作に関する違和感・不快感を生じさせないようにし、またＰＬＣにおけるメモリ使用を少なくできる。
【発明を実施するための最良の形態】
【００２０】
以下、図面を参照して、本発明の実施の形態について説明する。
図１は、本例によるプログラマブル表示器を備える制御システムの構成図である。
尚、以下の説明では、表示部品として３Ｄパーツを例にするが、この例に限らない。
【００２１】
図示の制御システムにおいて、各プログラマブル表示器１０は、通信線４と接続してＰＬＣ１と双方向データ通信を行う為のインタフェース（Ｉ／Ｆ）１５と、Ethernet（登録商標）等のネットワーク３と接続してリモートモニタ装置２０（ＰＣ；パソコン等）と双方向データ通信を行なう為のインタフェース（Ｉ／Ｆ）１６を有している。つまり、各プログラマブル表示器１０は、ＰＬＣ１から制御対象機器の状態データ（センサ計測データ等）を読み出し、あるいはＰＬＣ１に制御指示を送る機能だけでなく、例えばリモートモニタ装置２０がＰＬＣ１から状態データを読み出して表示する（遠隔監視する）為の通信ゲートウェイとしての機能も備えている。尚、Ｉ／Ｆ１６、Ｉ／Ｆ２７は、例えばEthernet（登録商標） 10BASE-T対応のインタフェースである。通信線４は、例えばRS-232C／RS-485等である。
【００２２】
各プログラマブル表示器（ＰＯＤ）１０は、更に、データ処理部１１、表示部１２、入力部１３、内部メモリ１４を有する。データ処理部１１は、例えばマイクロプロセッサ等であり、内部メモリ１４（フラッシュメモリ、ＲＯＭ、非揮発性ＲＡＭ、ハードディスク等）に格納されている所定のプログラムを実行することで上記の機能や後述する図３の処理を実行する。表示部１２は例えばグラフィック表示が可能なディスプレイであり、入力部１３はこのディスプレイの画面に重ね合わされたタッチパネル等である。表示部１２には例えば上記ＰＬＣ１の状態データが表示されるが、ここでは特に関係ないので説明は省略する。また、表示部１２にはＰＬＣ１に指示を送る為のスイッチ、ボタン等の３Ｄパーツが表示され、オペレータ等が所望の３Ｄパーツの表示位置でタッチパネルに触れると（つまりスイッチ等を操作すると）、データ処理部１１によって予めその３Ｄパーツに対応付けられているコマンドがＰＬＣ１に送信されるように構成されている。
【００２３】
ここでは、３Ｄパーツとして、図２に示すように、３パターンを有するスイッチを例にする。これ自体は、従来の説明で例示したものと同じであるので特に説明しないが、図示の通り、ＯＦＦ、ＯＮ、ランプ表示の３種類のパターンが与えられている。
【００２４】
この３種類のパターンは、オペレータによる操作に応じて切り替わり（ＯＦＦ→ＯＮ、ＯＮ→ＯＦＦ）、又は操作に対するＰＬＣ１側での動作に応じて切り替わるが（ＯＮ→ランプ表示）、従来では例えばＯＦＦ→ＯＮのパターン切換えも、ＰＬＣ１内のメモリ２の情報を参照して行っていた為、操作に対するパターン切換えのレスポンスが悪かった。これに対して、本例では、オペレータによる操作に関する表示切換え制御は、ＰＬＣ１との通信を行なう必要なくプログラマブル表示器１０内で処理するので、ＰＬＣ１内のメモリ２の情報を参照する為の時間が省ける為、その分、レスポンスを早くすることができる。
【００２５】
図３（ａ）、（ｂ）に、プログラマブル表示器１０における入力・表示制御処理を示す。
まず、図３（ａ）に示す入力・表示制御処理では、例えば図２に示すスイッチに対してオペレータがＯＮ操作を行ったことを検出すると（ステップＳ１１）、まず図２の図上真中に示すＯＮパターンをディスプレイ上に描画し（ステップＳ１２）、当該ＯＮ操作情報をＰＬＣ１側に送信する（ステップＳ１３）。この様に、操作を検出したら表示パターンを切換えるので、操作者が違和感を感じる（０．５秒以上掛かる）ことはない。
【００２６】
ＰＬＣ１側では、この情報を受けると、例えば上記従来で説明した起動処理等を行う。そして、起動完了したら、メモリ２内の予め割り当てられるビット（例えばＤ00）をＯＮする。
【００２７】
また、プログラマブル表示器１０は、例えば定周期でＰＬＣ１のメモリ２の情報を収集しており（つまり、ＰＬＣ側の状態を監視しており）、図３（ｂ）に示すように、収集した情報の中のＤ00がＯＦＦの場合には（ステップＳ２１，ＮＯ）、表示の切換えは行わずにそのままとする。つまり、上記ステップＳ１２で描画したＯＮパターンのままとする。一方、Ｄ00がＯＮの場合には（ステップＳ２１，ＹＥＳ）、図２の図上右側に示すランプ表示パターンをディスプレイ上に描画する（ステップＳ２２）。
【００２８】
勿論、上記の処理例に限らない。例えば、ステップＳ１２の代わりに、内部メモリ１４における対応ビット（例えばＥ00）をＯＮする処理を行うようにし、更に図３（ｂ）の処理に加えて不図示の内部メモリ監視・表示処理を行うようにしてもよい。この内部メモリ監視・表示処理は、常時、内部メモリ１４の状態を監視して、データ更新されたら、このデータ更新に応じた表示制御を行う。上記の例では、Ｅ00がＯＮになったら、図２の図上真中に示すＯＮパターンをディスプレイ上に描画する。
【００２９】
以上、本例の制御システム及びプログラマブル表示器では、既に述べたように、例えばＯＦＦ→ＯＮ等のユーザ操作を示す表示パターン切替えのレスポンス性を向上させることができ、また、ＰＬＣ１のメモリの使用ビット数は、３パターン表示のパーツであっても１パーツ当たり１ビットで済むようになる。
【００３０】
また上記レスポンス性向上の効果は、リモートモニタ装置２０においても同様である。すなわち、上述してあるように、従来ではリモートモニタ装置２０はプログラマブル表示器１０を介してＰＬＣ１のメモリ２の情報を読み出して表示を行っていた為、ユーザ操作を示す表示パターン切替えのレスポンスが悪かったが、本例では、内部メモリ１４を参照すれば済むので、この問題を解決できる。つまり、図１において、リモートモニタ装置２０の演算処理部２１（ＣＰＵ等）は、記憶部２４に記憶されている所定のアプリケーションプログラムを実行することで、例えば定周期でネットワーク３を介して内部メモリ１４又はメモリ２のデータを読み出して、このデータに基づき表示部２２の表示内容を変える。表示部２２には表示部１２と同じ内容が表示されるようにする。
【００３１】
図４に本実施例の他の部品例を示す。
図２には３パターンのスイッチの例を示したが、図４には更に１パターン多いスイッチの例を示す。つまり、スイッチＯＦＦでランプ表示するパターンが加わっている。つまり、図２の例はＰＬＣ側で起動処理を行うのはスイッチＯＮ操作が行われたときに限る場合について示したが、実際にはプログラマブル表示器からの指示がなくても例えばＰＬＣ側で何等かの条件が揃ったときに起動処理を行う場合もある。この為、起動処理が実行されたのはオペレータの操作によるものであるか否かを区別できるようにする為に上記パターンが加わっている。
【００３２】
図４に示す例の場合は、図３（ａ）の処理は変わらないが、図３（ｂ）の処理はＤ00だけでなくＥ00も参照して行うことになる。すなわち、特に図示はしないが、ステップＳ２１がＹＥＳであった場合、更にＥ00がＯＮかＯＦＦかを判定する処理を行い、Ｅ00がＯＮの場合はスイッチＯＮでランプ表示のパターン、ＯＦＦの場合はスイッチＯＦＦでランプ表示のパターンを表示する。
【００３３】
尚、上記実施例の説明では、部品として３Ｄパーツを例にしたが、これに限らず、３パターンや４パターンを有し且つこれらパターンにはユーザの操作によって切り替わるものとＰＬＣ側の動作によって切り替わるものとがある部品であれば何でもよい。例えば、平面パーツで青→黄色→赤がＯＦＦ→ＯＮ→ランプＯＮを意味するものとすれば、上記３パターンの３Ｄパーツと同様であるので、本発明は適用できる。また、３Ｄパーツの場合でも、上記ＯＦＦ、ＯＮ、ランプ表示の形態に限らない。
【００３４】
以上説明した制御システムによれば、
・プログラマブル表示器、遠隔モニタにおける表示レスポンス性改善
・ＰＬＣメモリ容量の削減
という効果が得られる。また、よりリアルなスイッチを表現できるという効果も得られる。
【図面の簡単な説明】
【００３５】
【図１】本例によるプログラマブル表示器を備える制御システムの構成図である。
【図２】３Ｄパーツの一例であり、３パターンを有するスイッチである。
【図３】（ａ）、（ｂ）は、プログラマブル表示器における入力・表示制御処理を示すフローチャート図である。
【図４】３Ｄパーツの他の例であり、４パターンを有するスイッチである。
【図５】従来の制御システムの概略構成図である。
【図６】３パターンを与えられた３Ｄパーツの一例を示す図である。
【図７】（ａ）、（ｂ）は、従来のプログラマブル表示器における処理を示すフローチャート図である。
【符号の説明】
【００３６】
１  ＰＬＣ
２  メモリ
３  ネットワーク
４  通信線
１０  プログラマブル表示器
１１  データ処理部
１２  表示部
１３  入力部
１４  内部メモリ
１５  インタフェース（Ｉ／Ｆ）
１６  インタフェース（Ｉ／Ｆ）
２０  リモートモニタ装置
２１  演算処理部
２２  表示部
２４  記憶部
【図１】
2005332074.tif 000003
【図３】
2005332074.tif 000004
【図５】
2005332074.tif 000005
【図７】
2005332074.tif 000006
【図２】
2005332074.tif 000007
【図４】
2005332074.tif 000008
【図６】
2005332074.tif 000009